(57)【要約】      （修正有）【課題】手のひらサイズの、操作性の良いグループＬＯＴＯボックスを提供する。【解決手段】グループＬＯＴＯボックス１は、外ケース１０と内ケース２０からなる。外ケース１０は、内部が中空であり上方に開口した略直方体状の外ケース本体１０２を有し、外ケース本体１０２の底面には左右方向に延びるスリットが設けられており、かつ、外ケース本体１０２の底面から下方に延びる平板状の下方延設部１０４を有し、前後方向に下方延設部１０４を貫通する１つ以上の穴１０６が設けられている。内ケース２０は、スライド可能に外ケース１０に収納され、内部が中空であり前方に開口した略直方体状である、鍵を収納するための内ケース本体２０２を有し、かつ、内ケース本体２０２の底面から下方に延びる平板状の下方延設部２０４を有し、前後方向に下方延設部２０４を貫通する１つ以上の穴２０６が設けられている。【選択図】図３
0003235330.tif 000002
【実用新案登録請求の範囲】
【請求項１】
外ケースと内ケースからなるグループＬＯＴＯボックスであって、
外ケースは、
内部が中空であり上方に開口した略直方体状の外ケース本体を有し、外ケース本体の底面には左右方向に延びるスリットが設けられており、かつ、
外ケース本体の底面から下方に延びる平板状の下方延設部を有し、外ケースの下方延設部には、前後方向に外ケースの下方延設部を貫通する１つ以上の穴が設けられており、かつ、
内ケースは、
外ケース本体の開口からスライド可能に外ケースに収納され、
内部が中空であり前方に開口した略直方体状である、鍵を収納するための内ケース本体を有し、かつ、
内ケース本体の底面から下方に延びる平板状の下方延設部を有し、内ケースの下方延設部には、前後方向に内ケースの下方延設部を貫通する１つ以上の穴が設けられており、
内ケースが外ケースに収納されるとき、外ケース本体の底面に設けられたスリットに内ケースの下方延設部が差し込まれ、外ケースの下方延設部に設けられた１つ以上の穴と内ケースの下方延設部に設けられた１つ以上の穴とが重なるようになっている、
前記グループＬＯＴＯボックス。
【請求項２】
外ケース本体の後面にマグネットが埋め込まれている、
請求項１に記載のグループＬＯＴＯボックス。
【請求項３】
外ケースの下方延設部が、外ケース本体の前面の下端部を延長させてなり、かつ、
内ケースの下方延設部が、内ケース本体の前面の下端部を延長させてなる、
請求項１または２に記載のグループＬＯＴＯボックス。
【請求項４】
外ケースおよび内ケースの一方または両方が、ケース本体の上面から上方に延びる平板状の上方延設部をさらに有し、上方延設部には、前後方向に上方延設部を貫通する１つ以上の穴が設けられている、
請求項１〜３のいずれか一項に記載のグループＬＯＴＯボックス。
【請求項５】
上方延設部がケース本体の後面の上端部を延長させてなる、
請求項４に記載のグループＬＯＴＯボックス。
【請求項６】
外ケースおよび内ケースの両方が上方延設部を有し、
内ケースが外ケースに収納されるとき、外ケースの上方延設部に設けられた１つ以上の穴と内ケースの上方延設部に設けられた１つ以上の穴とが重なるようになっている、
請求項４または５に記載のグループＬＯＴＯボックス。
【請求項７】
外ケース本体の内側および内ケース本体の外側の一方または両方に、係止ストッパーが設けられている、
請求項１〜６のいずれか一項に記載のグループＬＯＴＯボックス。
【請求項８】
外ケースおよび内ケースがプラスチック製である、
請求項１〜７のいずれか一項に記載のグループＬＯＴＯボックス。
【考案の詳細な説明】
【技術分野】
【０００１】
本考案は、ロックアウトタグアウト（Ｌｏｃｋｏｕｔ  Ｔａｇｏｕｔ；以下、「ＬＯＴО」ともいう）の目的で使用するグループＬＯＴＯボックスに関する。
【背景技術】
【０００２】
機械や装置の修理・点検・清掃等を行うときは、作業者の安全を確保するためにエネルギー源を遮断してから作業を始めることが必要である。しかしながら、ただエネルギー源を遮断するだけでは作業者の安全を十分に確保することができない。
【０００３】
そこで、作業者の安全を確保する手段として、ロックアウトタグアウトが導入されている。ここで、ロックアウトとは、機器の修理・点検・清掃時に、ブレーカー、スイッチ、バルブ等の動力源を遮断した上で、デバイスを装着し施錠、つまりロックすることをいう。また、タグアウトとは、ロックアウトデバイスでロックされた動力源の安全な箇所に警告タグを取り付けることをいい、タグが取り除かれるまで機器は再稼働されない。ロックアウトとタグアウトは、動力源の遮断を証明し、明確化するために同時に使用される。
【０００４】
ところで、作業者の数が多い場合、各作業者が該当機器に対してＬＯＴＯを実施すると、現場が混雑するという問題が生じる。その回避策としては、グループＬＯＴＯボックスが知られている。グループＬＯＴＯボックスを用いたＬＯＴＯの実施手順は、次の通りである：
（１）作業責任者が、該当機器に対してＬＯＴＯを実施する；
（２）作業責任者が、ロックアウトデバイスにかけたパドロック（南京錠）の鍵をグループＬＯＴＯボックスに収納し、そのグループＬＯＴＯボックスに対して鍵をかけ、該グループＬＯＴＯボックスの鍵を所持するとともに、その他の作業者（以下、「作業従事者」という）にグループＬＯＴＯボックスに対して鍵をかけさせ、その鍵を所持させる；
（３）作業責任者および作業従事者が、互いにグループＬＯＴＯボックスの保管場所を確認した上で修理・点検・清掃等の作業に取り掛かる；
（４）作業終了後、各作業従事者が、グループＬＯＴＯボックスに対してかけた鍵を外す；
（５）最後に、作業責任者が、グループＬＯＴＯボックスに対してかけた鍵を外し、グループＬＯＴＯボックス内の鍵を取り出して該当機器のＬＯＴＯを解除する。
上記のように、グループＬＯＴＯボックスを用いることにより、現場の混雑を解消することが可能である。
【０００５】
グループＬＯＴＯボックスとしては、ブレイディ社のものがよく知られている（図１参照）。ブレイディ社のグループＬＯＴＯボックスは、Ａ４サイズの大きさであり、多数の鍵や治具を収納可能であるが、比較的高価であり、また、蓋を開けるタイプであるので操作性が良いともいえない。
【考案の概要】
【考案が解決しようとする課題】
【０００６】
そこで、本考案は、手のひらサイズの、いっそう安価な、操作性の良いグループＬＯＴＯボックスを提供することを目的とする。
【課題を解決するための手段】
【０００７】
本考案者等は、上記の課題を解決すべく鋭意検討し、本考案を完成するに至った。
【０００８】
本考案の主たる構成は、次の通りである。
［１］
外ケースと内ケースからなるグループＬＯＴＯボックスであって、
外ケースは、
内部が中空であり上方に開口した略直方体状の外ケース本体を有し、外ケース本体の底面には左右方向に延びるスリットが設けられており、かつ、
外ケース本体の底面から下方に延びる平板状の下方延設部を有し、外ケースの下方延設部には、前後方向に外ケースの下方延設部を貫通する１つ以上の穴が設けられており、かつ、
内ケースは、
外ケース本体の開口からスライド可能に外ケースに収納され、
内部が中空であり前方に開口した略直方体状である、鍵を収納するための内ケース本体を有し、かつ、
内ケース本体の底面から下方に延びる平板状の下方延設部を有し、内ケースの下方延設部には、前後方向に内ケースの下方延設部を貫通する１つ以上の穴が設けられており、
内ケースが外ケースに収納されるとき、外ケース本体の底面に設けられたスリットに内ケースの下方延設部が差し込まれ、外ケースの下方延設部に設けられた１つ以上の穴と内ケースの下方延設部に設けられた１つ以上の穴とが重なるようになっている、
前記グループＬＯＴＯボックス。
［２］
外ケース本体の後面にマグネットが埋め込まれている、
［１］に記載のグループＬＯＴＯボックス。
［３］
外ケースの下方延設部が、外ケース本体の前面の下端部を延長させてなり、かつ、
内ケースの下方延設部が、内ケース本体の前面の下端部を延長させてなる、
［１］または［２］に記載のグループＬＯＴＯボックス。
［４］
外ケースおよび内ケースの一方または両方が、ケース本体の上面から上方に延びる平板状の上方延設部をさらに有し、上方延設部には、前後方向に上方延設部を貫通する１つ以上の穴が設けられている、
［１］〜［３］のいずれか１つに記載のグループＬＯＴＯボックス。
［５］
上方延設部がケース本体の後面の上端部を延長させてなる、
［４］に記載のグループＬＯＴＯボックス。
［６］
外ケースおよび内ケースの両方が上方延設部を有し、
内ケースが外ケースに収納されるとき、外ケースの上方延設部に設けられた１つ以上の穴と内ケースの上方延設部に設けられた１つ以上の穴とが重なるようになっている、
［４］または［５］に記載のグループＬＯＴＯボックス。
［７］
外ケース本体の内側および内ケース本体の外側の一方または両方に、係止ストッパーが設けられている、
［１］〜［６］のいずれか１つに記載のグループＬＯＴＯボックス。
［８］
外ケースおよび内ケースがプラスチック製である、
［１］〜［７］のいずれか１つに記載のグループＬＯＴＯボックス。
【考案の効果】
【０００９】
上記の構成を採用することにより、手のひらサイズの、いっそう安価な、操作性の良いグループＬＯＴＯボックスを提供することが可能となる。
【図面の簡単な説明】
【００１０】
【図１】図１は、従来のグループＬＯＴＯボックスを示す写真である。
【図２】図２は、本考案のある実施形態を示す概略図である。本図に示す実施形態では、外ケース１０および内ケース２０は、上方延設部を有していない。また、外ケース１０の下方延設部１０４および内ケース２０の下方延設部２０４はそれぞれ、外ケース本体１０２の後面の下端部および内ケース本体２０２の後面の下端部を延長させてなる。さらに、各部の面取りは施されていない。なお、本図におけるハッチングは、外ケース本体１０２の底面に設けられるスリットを示している。
【図３】図３は、本考案の別の実施形態を示す概略図である。本図に示す実施形態では、外ケース１０および内ケース２０はそれぞれ、外ケース本体１０２の後面の上端部を延長させてなる上方延設部１０８および内ケース本体２０２の後面の上端部を延長させてなる上方延設部２０８を有する。また、外ケース１０の下方延設部１０４および内ケース２０の下方延設部２０４はそれぞれ、外ケース本体１０２の前面の下端部および内ケース本体２０２の前面の下端部を延長させてなる。さらに、各部には面取りが施されている。なお、本図における破線は、各部の境界のみを示す線である。
【図４】図４は、本考案の実施例における、フックに引っ掛けられたグループＬＯＴＯボックスを示す写真である。
【図５】図５は、本考案の実施例において、複数のグループＬＯＴＯボックスを保管・管理していることを示す写真である。
【考案を実施するための形態】
【００１１】
以下、本考案を詳細に説明する。
【００１２】
本考案のグループＬＯＴＯボックス１は、外ケース１０と内ケース２０からなる。
【００１３】
外ケース１０は、
内部が中空であり上方に開口した略直方体状の外ケース本体１０２を有し、外ケース本体１０２の底面には左右方向に延びるスリットが設けられており、かつ、
外ケース本体１０２の底面から下方に延びる平板状の下方延設部１０４を有し、外ケース１０の下方延設部１０４には、前後方向に外ケース１０の下方延設部１０４を貫通する１つ以上の穴１０６が設けられている。
【００１４】
外ケース本体１０２の大きさは特に限定されないが、例えば、上下方向の寸法としては５０ｍｍ〜２００ｍｍが、左右方向の寸法としては５０ｍｍ〜１５０ｍｍが、前後方向の寸法としては２０ｍｍ〜５０ｍｍが、壁厚としては１ｍｍ〜３ｍｍがそれぞれ挙げられる。
【００１５】
外ケース本体１０２の角部は、面取りによって加工されていてもよい。面取りの種類は特に限定されないが、例えばＣ面取り、Ｒ面取り、糸面取り等が挙げられ、操作性、怪我防止等の観点からＲ面取りが好ましい。
【００１６】
外ケース本体１０２の底面に設けられるスリットの大きさは特に限定されないが、例えば、左右方向の寸法としては４３．５ｍｍ〜１４３．５ｍｍが、前後方向の寸法としては１ｍｍ〜１０ｍｍがそれぞれ挙げられる。
【００１７】
本考案のある実施形態では、外ケース本体１０２の後面にはマグネットが埋め込まれている。このようにすることで、強磁性を有する鉄等の金属を含む壁面に、グループＬＯＴＯボックス１を容易に設置することができる。
【００１８】
外ケース本体１０２の底面から下方に延びる平板状の下方延設部１０４の大きさは特に限定されないが、例えば、上下方向の寸法としては１０ｍｍ〜２０ｍｍが、左右方向の寸法としては５０ｍｍ〜１５０ｍｍが、前後方向の寸法としては１ｍｍ〜１０ｍｍがそれぞれ挙げられる。
【００１９】
外ケース１０の下方延設部１０４の角部は、面取りによって加工されていてもよい。面取りの種類は特に限定されないが、例えばＣ面取り、Ｒ面取り、糸面取り等が挙げられ、操作性、怪我防止等の観点からＲ面取りが好ましい。
【００２０】
外ケース１０の下方延設部１０４に設けられる穴１０６の形状は特に限定されないが、パドロックやハスプ（掛け金）を取り付ける際の操作性の観点から円形が好ましい。外ケース１０の下方延設部１０４に設けられる穴１０６の大きさは特に限定されないが、例えば、円形の場合の直径としては５ｍｍ〜１８ｍｍが挙げられる。外ケース１０の下方延設部１０４に設けられる穴１０６の数は特に限定されないが、例えば、１〜２０個が挙げられる。なお、外ケース１０の下方延設部１０４に設けられる穴１０６の位置は、穴の形状、数、大きさ等に基づいて適宜決定されるが、穴の数が２つ以上の場合、複数のパドロックやハスプを嵩張らずに取り付ける観点から、２つ以上の穴は左右方向に整列して設けられることが好ましい。
【００２１】
内ケース２０は、
外ケース本体１０２の開口からスライド可能に外ケース１０に収納され、
内部が中空であり前方に開口した略直方体状である、鍵を収納するための内ケース本体２０２を有し、かつ、
内ケース本体２０２の底面から下方に延びる平板状の下方延設部２０４を有し、内ケース２０の下方延設部２０４には、前後方向に内ケース２０の下方延設部２０４を貫通する１つ以上の穴２０６が設けられている。
【００２２】
内ケース本体２０２の大きさは特に限定されないが、例えば、上下方向の寸法としては４７ｍｍ〜１９９ｍｍが、左右方向の寸法としては４３ｍｍ〜１４３ｍｍが、前後方向の寸法としては１３．５ｍｍ〜４７．５ｍｍが、壁厚としては１ｍｍ〜３ｍｍがそれぞれ挙げられる。
【００２３】
内ケース本体２０２の角部は、面取りによって加工されていてもよい。面取りの種類は特に限定されないが、例えばＣ面取り、Ｒ面取り、糸面取り等が挙げられ、操作性、怪我防止等の観点からＲ面取りが好ましい。
【００２４】
内ケース本体２０２の底面から下方に延びる平板状の下方延設部２０４の大きさは特に限定されないが、例えば、上下方向の寸法としては１０ｍｍ〜２０ｍｍが、左右方向の寸法としては４３ｍｍ〜１４３ｍｍが、前後方向の寸法としては０．５ｍｍ〜９.５ｍｍがそれぞれ挙げられる。
【００２５】
内ケース２０の下方延設部２０４の角部は、面取りによって加工されていてもよい。面取りの種類は特に限定されないが、例えばＣ面取り、Ｒ面取り、糸面取り等が挙げられ、操作性、怪我防止等の観点からＲ面取りが好ましい。
【００２６】
内ケース２０の下方延設部２０４に設けられる穴２０６の形状は特に限定されないが、パドロックやハスプを取り付ける際の操作性の観点から円形が好ましい。内ケース２０の下方延設部２０４に設けられる穴２０６の大きさは特に限定されないが、例えば、円形の場合の直径としては５ｍｍ〜２０ｍｍが挙げられる。内ケース２０の下方延設部２０４に設けられる穴２０６の数は特に限定されないが、例えば、１〜２０個が挙げられる。なお、内ケース２０の下方延設部２０４に設けられる穴２０６の位置は、穴の形状、数、大きさ等に基づいて適宜決定されるが、穴の数が２つ以上の場合、複数のパドロックやハスプを嵩張らずに取り付ける観点から、２つ以上の穴は左右方向に整列して設けられることが好ましい。
【００２７】
内ケース２０の下方延設部２０４の角部は、面取りによって加工されていてもよい。面取りの種類は特に限定されないが、例えばＣ面取り、Ｒ面取り、糸面取り等が挙げられ、操作性、怪我防止等の観点からＲ面取りが好ましい。
【００２８】
本考案によれば、内ケース２０が外ケース１０に収納されるとき、外ケース本体１０２の底面に設けられたスリットに内ケース２０の下方延設部２０４が差し込まれ、外ケース１０の下方延設部１０４に設けられた１つ以上の穴１０６と内ケース２０の下方延設部２０４に設けられた１つ以上の穴２０６とが重なるようになっている。作業責任者および作業従事者は、この重なった穴にハスプやパドロックを取り付けることによって、修理・点検・清掃が完了する前に該当機器が再稼働されることを確実に防止することができる。
【００２９】
好ましくは、外ケース１０の下方延設部１０４は、外ケース本体１０２の前面の下端部を延長させてなり、内ケース２０の下方延設部２０４は、内ケース本体２０の前面の下端部を延長させてなる。このようにすることで、グループＬＯＴＯボックス１を壁面に設置した際に壁面との間にスペースができ、グループＬＯＴＯボックス１にハスプやパドロックを取り付けたときに嵩張らない。
【００３０】
本考案のある実施形態によれば、外ケース１０および内ケース２０の一方または両方が、ケース本体の上面から上方に延びる平板状の上方延設部をさらに有し、上方延設部には、前後方向に上方延設部を貫通する１つ以上の穴が設けられている。このようにすることで、上方延設部に設けられた穴に、壁面に備え付けられたフック等を引っ掛けることによって、グループＬＯＴＯボックス１を壁面に設置することができる。
【００３１】
外ケース１０に上方延設部を設ける場合、外ケース１０の上方延設部１０８の大きさは特に限定されないが、例えば、上下方向の寸法としては１０ｍｍ〜２５ｍｍが、左右方向の寸法としては５０ｍｍ〜１５０ｍｍが、前後方向の寸法としては１ｍｍ〜１０ｍｍがそれぞれ挙げられる。
【００３２】
上方延設部１０８の角部は、面取りによって加工されていてもよい。面取りの種類は特に限定されないが、例えばＣ面取り、Ｒ面取り、糸面取り等が挙げられ、操作性、怪我防止等の観点からＲ面取りが好ましい。
【００３３】
外ケース１０の上方延設部１０８に設けられる穴１１０の形状は特に限定されないが、フック等を引っ掛ける際の操作性の観点から円形が好ましい。外ケース１０の上方延設部１０８に設けられる穴１１０の大きさは特に限定されないが、例えば、円形の場合の直径としては５ｍｍ〜２０ｍｍが挙げられる。外ケース１０の上方延設部１０８に設けられる穴１１０の数は特に限定されないが、例えば、１つ〜３つが挙げられ、フック等に引っ掛ける観点からは１つで足りる。外ケース１０の上方延設部１０８に設けられる穴１１０の数が２つまたは３つの場合には、フック等に引っ掛けるものを除いた穴に名札等をぶら下げることができる。なお、外ケース１０の上方延設部１０８に設けられる穴１１０の数が１つの場合には、フック等に引っ掛けた際にグループＬＯＴＯボックス１が傾かないという観点から、その中心が外ケース１０の上方延設部１０８の左右方向の中心となるように設けられることが好ましい。
【００３４】
内ケース２０に上方延設部を設ける場合、内ケース２０の上方延設部２０８の大きさは特に限定されないが、例えば、上下方向の寸法としては１０ｍｍ〜２５ｍｍが、左右方向の寸法としては４３ｍｍ〜１４３ｍｍが、前後方向の寸法としては１ｍｍ〜１０ｍｍがそれぞれ挙げられる。
【００３５】
上方延設部２０８の角部は、面取りによって加工されていてもよい。面取りの種類は特に限定されないが、例えばＣ面取り、Ｒ面取り、糸面取り等が挙げられ、操作性、怪我防止等の観点からＲ面取りが好ましい。
【００３６】
内ケース２０の上方延設部２０８に設けられる穴２１０の形状は特に限定されないが、フック等を引っ掛ける際の操作性の観点から円形が好ましい。内ケース２０の上方延設部２０８に設けられる穴２１０の大きさは特に限定されないが、例えば、円形の場合の直径としては５ｍｍ〜２０ｍｍが挙げられる。内ケース１０の上方延設部２０８に設けられる穴２１０の数は特に限定されないが、例えば、１つ〜３つが挙げられ、フック等に引っ掛ける観点からは１つで足りる。内ケース２０の上方延設部２０８に設けられる穴２１０の数が２つまたは３つの場合には、フック等に引っ掛けるものを除いた穴に名札等をぶら下げることができる。なお、内ケース２０の上方延設部２０８に設けられる穴２１０の数が１つの場合には、フック等に引っ掛けた際にグループＬＯＴＯボックス１が傾かないという観点から、その中心が内ケース２０の上方延設部２１０の左右方向の中心となるように設けられることが好ましい。
【００３７】
本考案のある実施形態では、
外ケース１０および内ケース２０の両方が上方延設部を有し、
内ケース２０が外ケース１０に収納されるとき、外ケース１０の上方延設部１０８に設けられた穴１１０と内ケース２０の上方延設部２０８に設けられた穴２１０とが重なるようになっている。
【００３８】
好ましくは、外ケース１０の上方延設部１０８は、外ケース本体１０２の後面の上端部を延長させてなり、内ケース２０の上方延設部２０８は、内ケース本体２０の後面の上端部を延長させてなる。
【００３９】
本考案のある実施形態では、外ケース本体１０２の内側および内ケース本体２０２の外側の一方または両方に、係止ストッパーが設けられている。このようにすることで、外ケース１０から内ケース２０が不必要に滑落することを防止することができる。
【００４０】
外ケース１０および内ケース２０の材質は特に限定されないが、例えば、プラスチック、金属材料等が挙げられ、安価に大量生産できる観点からプラスチックが好ましく、プラスチックの中でもＡＢＳ樹脂が特に好ましい。外ケース１０の材質と内ケース２０の材質とは、同一であってもよく、異なっていてもよい。
【実施例】
【００４１】
以下に、実施例を挙げて本考案をより具体的に説明するが、本考案は以下の実施例に限定されるものではない。
【００４２】
実施例において使用したグループＬＯＴＯボックスの寸法は、次の通りである。
【００４３】
（１）外ケース１０（材質：プラスチック）
（１−１）外ケース本体１０２
上下方向の寸法：１０９ｍｍ
左右方向の寸法：６７ｍｍ
前後方向の寸法：２６．５ｍｍ
壁厚：３ｍｍ
側面と上面との角部の面取り：Ｒ２ｍｍ
側面と前面との角部の面取り：Ｒ０．１ｍｍ
内側に係止ストッパー（前後方向の寸法：０．３ｍｍ）が取り付けられている
【００４４】
（１−２）スリット
左右方向の寸法：６０．５ｍｍ
前後方向の寸法：３．５ｍｍ
【００４５】
（１−３）下方延設部１０４
外ケース本体１０２の前面の下端部を延長させてなる
上下方向の寸法：１４ｍｍ
左右方向の寸法：６７ｍｍ
前後方向の寸法：３ｍｍ
底面と側面との角部の面取り：Ｒ１０ｍｍ
底面と後面との角部の面取り：Ｒ０．１ｍｍ
【００４６】
（１−４）穴１０６
直径９ｍｍ
穴の数：３つ
１つの穴の中心から隣接する穴の中心までの距離：１５ｍｍ
穴の中心から下方延設部１０４の下端までの距離：８ｍｍ
左側の穴の中心から下方延設部１０４の左端までの距離＝右側の穴の中心から下方延設部の右端までの距離：１８．５ｍｍ
【００４７】
（１−５）上方延設部１０８
外ケース本体１０２の後面の上端部を延長させてなる
上下方向の寸法：１７ｍｍ
左右方向の寸法：６７ｍｍ
前後方向の寸法：３ｍｍ
上面と側面との角部の面取り：Ｒ１０ｍｍ
上面と前面との角部の面取り：Ｒ０．１ｍｍ
【００４８】
（１−６）穴１１０
直径１０ｍｍ
穴の数：１つ
穴の中心から上方延設部１０８の上端までの距離：１１ｍｍ
穴の中心から上方延設部１０８の左端までの距離＝穴の中心から上方延設部の右端までの距離：３３．５ｍｍ
【００４９】
（２）内ケース２０（材質：プラスチック）
（２−１）内ケース本体２０２
上下方向の寸法：１０６ｍｍ
左右方向の寸法：６０ｍｍ
前後方向の寸法：２０ｍｍ
壁厚：３ｍｍ
側面と上面との角部の面取り：Ｒ２ｍｍ
側面と前面との角部の面取り：Ｒ０．１ｍｍ
【００５０】
（２−２）下方延設部２０４
内ケース本体２０の前面の下端部を延長させてなる
上下方向の寸法：１７ｍｍ
左右方向の寸法：６０ｍｍ
前後方向の寸法：３ｍｍ
底面と側面との角部の面取り：Ｒ１０ｍｍ
【００５１】
（２−３）穴２０６
直径９ｍｍ
穴の数：３つ
穴の中心から下方延設部２０４の下端までの距離：８ｍｍ
左側の穴の中心から下方延設部２０４の左端までの距離＝右側の穴の中心から下方延設部２０４の右端までの距離：１５ｍｍ
【００５２】
（２−４）上方延設部２０８
内ケース本体２０の後面の上端部を延長させてなる
上下方向の寸法：１７ｍｍ
左右方向の寸法：６０ｍｍ
前後方向の寸法：３ｍｍ
上面と側面との角部の面取り：Ｒ１０ｍｍ
上面と前面との角部の面取り：Ｒ０．１ｍｍ
【００５３】
（２−５）穴２１０
直径１０ｍｍ
穴の数：１つ
穴の中心から上方延設部２０８の上端までの距離：１１ｍｍ
穴の中心から上方延設部２０８の左端までの距離＝穴の中心から上方延設部２０８の右端までの距離：３０ｍｍ
【００５４】
上記の構成のグループＬＯＴＯボックスに鍵を収納し、外ケースの上方延設部の穴と内ケースの上方延設部の穴とが重なる部分にフックを引っ掛けた。すると、図４に示される通り、グループＬＯＴＯボックスを壁面に設置した際に壁面との間にスペースができ、グループＬＯＴＯボックスにハスプやパドロックを取り付けても嵩張らなかった。
【００５５】
また、図５に示される通り、ＬＯＴＯステーション（ＬＯＴＯ実施予定期間・ＬＯＴＯ作業責任者・緊急連絡網等の情報が張り出されるとともにグループＬＯＴＯボックスが保管・管理される場所）に、複数のグループＬＯＴＯボックスを並べて配置することができ、省スペース化が達成される。
【産業上の利用可能性】
【００５６】
本考案によれば、手のひらサイズの、いっそう安価な、操作性の良いグループＬＯＴＯボックスを提供することができる。
【符号の説明】
【００５７】
１      グループＬＯＴＯボックス
１０    外ケース
１０２  外ケース本体
１０４  外ケースの下方延設部
１０６  外ケースの下方延設部に設けられた穴
１０８  外ケースの上方延設部
１１０  外ケースの上方延設部に設けられた穴
２０    内ケース
２０２  内ケース本体
２０４  内ケースの下方延設部
２０６  内ケースの下方延設部に設けられた穴
２０８  内ケースの上方延設部
２１０  内ケースの上方延設部に設けられた穴
【図１】
0003235330.tif 000003
【図２】
0003235330.tif 000004
【図３】
0003235330.tif 000005
【図４】
0003235330.tif 000006
【図５】
0003235330.tif 000007